(57)【要約】【課題】２段の止着テープを使用し張力をクロスさせることによって、着用者が動きやすく、かつオムツがずれにくくなるのであるが、２段の止着テープを有するオムツは高額のために、２段の止着テープを有する子供用や赤ちゃん用のオムツは市場には見かけない。そこで、オムツとは別体であって、オムツの任意の箇所を引っ張ることができるオムツの補助具を提供することを目的とする。【解決手段】オムツ２に用いる補助具１は、面ファスナーのフック面Ｈを有する２以上のフック部１１と、弾性を有しフック部１１を連結する連結部１２と、を備える。【選択図】図１
2018110814.tif 000002
【特許請求の範囲】
【請求項１】
面ファスナーのフック面を有する２以上のフック部と、弾性を有し前記フック部を連結する連結部と、を備えたことを特徴とするオムツの補助具。
【請求項２】
前記連結部に面ファスナーのループ面を備えることを特徴とする請求項１に記載のオムツの補助具。
【請求項３】
前記フック部と前記連結部は、着脱可能に連結することを特徴とする請求項１に記載のオムツの補助具
【請求項４】
少なくとも１つの前記フック部は前記連結部の延在方向に対して直角に延在する長方形であることを特徴とする請求項１に記載のオムツの補助具。
【請求項５】
前記フック部は前記連結部に回動自在に軸支されることを特徴とする請求項１に記載のオムツの補助具。
【発明の詳細な説明】
【技術分野】
【０００１】
本発明は、オムツに使用するオムツの補助具に関し、詳しくは２以上の面ファスナーのフック面と、前記フック面を連結する連結部と、を備えたオムツの補助具に関する。
【背景技術】
【０００２】
使い捨てのオムツとして、パンツ型とテープ型がある。パンツ型オムツは通常のパンツと同様に、前見頃と後ろ見頃の側面が結合されていて、胴開口部と２つの脚開口部がある。テープ型オムツは前見頃と後ろ見頃が股下部で結合されたシートであり、後ろ見頃の両側縁部から止着テープが延在しており、この止着テープが前見頃の表面に係着することによって、胴開口部と２つの脚開口部を形成する。なお、止着テープに代わってフック面が後ろ見頃の両側面に形成されているオムツもあり、ここではこれもテープ型オムツに属するものとする。
【０００３】
パンツ型オムツの場合、これを寝たきりの着用者に着用させるには、両足を胴開口部から入れて、それぞれの脚を各脚開口部から出さなければならず、そのためには足や腰を持ち上げる必要があって、着用者や介助者にとって負担が大きい作業であった。これに比べて、テープ型オムツの場合は、ベッドにシート状のオムツを敷いて、その上に着用者が転がって移動し、止着テープを後ろ見頃に係合させればよいので、着用者や介助者にとって負担が小さい作業であった。また、後ろ見頃は弾性部を有しているので止着テープの係合位置を変化させることによって、身体の寸法に合わせて胴開口部や脚開口部の寸法を調整することができるという利点がある。この利点は立ち上がることができる着用者にも有効である。したがって、テープ型オムツが数多く販売されている。また、尻尾用の孔を有するペット用のテープ型オムツも多く販売されている。
【０００４】
テープ型オムツには種々の大きさがあり、大人用、子ども用、赤ちゃん用がある。また、それぞれＳサイズ〜ＬＬサイズなど、種々の大きさのオムツが整っている。大人用のテープ型オムツは大きいために止着テープが２段、左右合計４つ有するオムツがある。止着テープを２段にすると価格がアップするので、市販されている子ども用や赤ちゃん用のオムツは通常１段になっている。また、大人用のオムツで、止着テープの幅を広くして１段にしたオムツもある。
【０００５】
ここで、止着テープが２段のオムツの方が１段のオムツよりも水様便や尿が漏れにくいと考え、止着テープが２段のオムツの着用方法について説明する。通常考えられるオムツの着用の方法は、水様便や尿が漏れるのを低減するために、特許文献１（特開２００２−２００１１３号公報）の図２に示されるように、股下部が身体に密着するようにオムツを上方に寄せて、２段の止着テープをいずれもきつく水平方向に引っ張って前見頃に係着させる（図３の（Ａ）参照）。この方法はたとえば、輪ゴムを２本平行に掛けたような締め付け方である。しかしながら、２段の止着テープをきつく水平方向に引っ張ると、お腹部分と腰の下方が締めつけられて、着用者が動きにくくなる。たとえば、ベッドに寝ている着用者が身体を起こすと胴回りが３ｃｍ〜６ｃｍ太くなるので、お腹周りは少しの余裕が必要である。そして、腰の下方が締めつけられると脚を広げにくくなる。また、通常の人体の下半身は骨盤の腸骨部を最大幅として下に細くなっているために、下段の止着テープが骨盤の最大幅よりも下方になったときは、オムツが下方にずれて特に脚開口部から水様便や尿が漏れる恐れがある。
【０００６】
そこで、特許文献２の図２に示すように上段の２つの止着テープを下方に、下段の２つの止着テープを上方に向けて引っ張る方法が考えられた（図３の（Ｂ）参照）。この方法はたとえば、輪ゴムを２本交差させて掛けたような締め付け方である。これにより直接お腹を張力で圧迫させないので、胴回り寸法が変化するベッドでの寝起きが楽になる。そして、直接腰の下方を張力で圧迫させないので、脚を広げ易くなる。また、骨盤の最大幅を挟んだクロスの張力によってオムツが下方にずれにくくなる。
【先行技術文献】
【特許文献】
【０００７】
【特許文献１】特開２００２−２００１１３号公報
【特許文献２】特開２００５−２９６６０３号公報公報
【発明の概要】
【発明が解決しようとする課題】
【０００８】
このように、２段の止着テープを使用し張力をクロスさせることによって、着用者が動きやすく、かつオムツがずれにくくなるのであるが、２段の止着テープを有するオムツは高額のために、２段の止着テープを有する子供用や赤ちゃん用のオムツは市場には見かけない。また、大人用のオムツでも２段の止着テープを有しないものが多数ある。これらのオムツは張力をクロスさせることができない。さらに、２段の止着テープがあってもテープの長さが短いために、張力をクロスさせることができないオムツもある。
【０００９】
さらに、オムツはオーダーメイドではないので、２段の止着テープを使用し張力をクロスさせることができても、オムツの形状・寸法が着用者の体型に合わないときは胴開口部や脚開口部から尿が漏れることがある。特に、水様便のときは胴開口部の背部分から漏れ易い。
【００１０】
また、止着テープ自体には弾性力は無いので、止着テープによる引張は後ろ見頃や前見頃の弾性力によるものである。このために、張力不足によって漏れることがある。
【００１１】
また、市販のオムツは左右対称であるが、着用者によっては身体の着用部が身体障がいによって左右対称ではない方がいる。例えば、右脚と左脚の太さが極端に異っている方や、一方の脚を失っている方がいる。この場合は漏れ易い部分の漏れ留め手段が必要である。
【００１２】
また、クロスの張力を行わなくても、オムツの局部を引っ張れば、着用者が動きやすく、かつオムツがずれにくく漏れの防止ができる場合があるが、必要に応じてオムツの任意の箇所を引っ張ることができる補助具がない。
また、在庫処分のために少しサイズが異なるオムツを消費しようとしても、漏れの問題で在庫処分できなかった。
また、パンツ型オムツには２段の止着テープが無いために、クロスの張力ができない。また、任意の箇所を引っ張ることができない。
【００１３】
また、オムツからの漏れを防止する方法として、液体を吸収するオムツ用のパッドが知られているが、オムツ用パッドは、オムツに入れて使用するため使用後の再利用はできず、オムツとともに使い捨てとなってしまう。
そこで本発明は、オムツとは別体であって、オムツの任意の箇所を引っ張ることができるオムツの補助具を提供することを目的とする。
【課題を解決するための手段】
【００１４】
上記課題を解決するため、本発明の一つの態様に係るオムツの補助具は、面ファスナーのフック面を有する２以上のフック部と、弾性を有し前記フック部を連結する連結部と、を備えることを特徴とする。
【００１５】
２段の止着テープを使用し張力をクロスさせることによって、着用者が動きやすく、かつオムツがずれにくくなるのであるが、２段の止着テープが無い子供用や赤ちゃん用のオムツでも、また、止着テープが無いパンツ型オムツでも、オムツの補助具を使用して張力をクロスさせることができる。２段の止着テープがあっても、止着テープが短いために張力をクロスさせることができない場合もあるが、このようなときにもオムツの補助具を使用して張力をクロスさせることができる。また、この補助具はオムツとは別体であるので、オムツの任意の箇所を必要な数だけ引っ張ることができる。このために、種々の理由により汚物が漏れ易い箇所に張力を追加することができる。
【００１６】
汚物が漏れ易い理由としては、たとえば、胴回りと脚周りの比率が標準と異なるので市販のＳサイズ〜ＬＬサイズが合わない、オムツの張力が弱い、着用者が障害により体型が左右対称ではない、在庫処分のために異なるサイズのオムツを使用する、汚物が水様便であり漏れ易い、寝返りをするなどがある。また、補助具は使い捨てのオムツとは別体であるので、補助具は使い捨てではなく、次に使用するオムツにも使用できるし、汚れたときは洗濯することもできる。
また、本発明のオムツの補助具においては、前記連結部に面ファスナーのループ面を備えることが好ましい。
【００１７】
これより、オムツの止着テープに連結して引っ張る距離を延長したり、張力を増強させたりすることができる。また、オムツの止着テープのオムツの表面への係着力が弱いとき、オムツの止着テープを補助具のループ面に係着させてオムツの止着テープの係着力を増強させることができる。また、オムツの止着テープを補助具のループ面に連結させて補助具の２つのフック部をオムツの表面に係着させることにより、オムツの２箇所を止着テープの固着方向に引っ張ることができる。また、複数の補助具を連結させることが可能であり、この連結により作用効果が増加する。たとえば、引っ張る距離を任意に延長したり、前見頃の中央へ放射状に引っ張ったりすることができる。
【００１８】
また、本発明のオムツの補助具においては、前記フック部と前記連結部は、着脱可能に連結することが好ましい。
これにより、使用者がフック部を連結体に任意の位置で連結することができるので、オムツ補助具の長さを調整することができる。
【００１９】
また、本発明のオムツの補助具においては、少なくとも１つの前記フック部は前記連結部の延在方向に対して直角に延在する長方形であることが好ましい。
フック部の形状は正方形、三角形、台形や円形など種々の形状が考えられるが、延在方向に対して直角に延在する長方形であるので、フック部の材料取りが良い。また、広範囲を引っ張ることができる。
【００２０】
また、本発明のオムツの補助具においては、前記フック部は前記連結部に回動自在に軸支されることが好ましい。
これにより、連結部の一方のフック部がオムツの表面に係着された状態で、他方のフック部の位置決めをするときに、他方のフック部の位置を回転させても、他方のフック部が連結部に対して回動するので、他方のフック部のオムツへの係合が弱くなることがない。
【図面の簡単な説明】
【００２１】
【図１】（Ａ）は本発明の第１実施形態の補助具を示す平面図であり、（Ｂ）はその底面図である。
【図２】（Ａ）は第１実施形態に使用する２段の止着テープを有するオムツの平面図であり、（Ｂ）はその底面図である。
【図３】（Ａ）はオムツ着用方法であり、（Ｂ）は他のオムツ着用方法である。
【図４】（Ａ）は第１実施形態の第１使用例を示す正面図であり、（Ｂ）は第１実施形態の第２使用例を示す正面図である。
【図５】（Ａ）は第１実施形態の第３使用例を示す正面図であり、（Ｂ）は第１実施形態の第４使用例を示す正面図である。
【図６】（Ａ）は第１実施形態の第５使用例を示す正面図であり、（Ｂ）は第１実施形態の第６使用例を示す正面図である。
【図７】（Ａ）は第１実施形態の第７使用例を示す正面図であり、（Ｂ）は第１実施形態の第８使用例を示す正面図である。
【図８】（Ａ）は第２実施形態の補助具を示す平面図であり、（Ｂ）はその底面図である。
【図９】（Ａ）は第２実施形態のフック部を約４５度回転させた状態を示す平面図であり、（Ｂ）はその底面図である。
【図１０】（Ａ）は第２実施形態のフック部を約９０度回転させた状態を示す平面図であり、（Ｂ）はその底面図である。
【図１１】（Ａ）は第３実施形態の補助具を示す平面図であり、（Ｂ）はその底面図である。
【図１２】（Ａ）は第３実施形態の補助具が短く連結された状態を示す底面図であり、（Ｂ）は補助具が長く連結された状態を示す底面図である。
【図１３】（Ａ）は第３実施形態の補助具がＴ字形に連結された状態を示す平面図であり、（Ｂ）はその底面図である。
【図１４】（Ａ）は第３実施形態の補助具がＬ字形に連結された状態を示す平面図であり、（Ｂ）はその底面図である。
【図１５】（Ａ）は第４実施形態の補助具を示す平面図であり、（Ｂ）は第４実施形態の補助具を示す底面図であり、（Ｃ）は第５実施形態の補助具を示す平面図である。
【図１６】犬用のオムツの平面図である。
【図１７】犬用のオムツに補助具が使用された例を示す平面図である。
【発明を実施するための形態】
【００２２】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２３】
［第１実施形態］
図１を用いて第１実施形態のオムツ２の補助具１の構成を説明する。図１は補助具１の画像である。なお、図１の画像において、補助具１の輪郭を明確にするために、輪郭線を直接描いている。また他の図で示す画像においても、輪郭を明確にするために、一部輪郭線を直接描いている。
【００２４】
この補助具１は、オムツ２とは別体であり、オムツ２とセットにして販売することも可能であるが、オムツ２とは別々に販売可能なものである。補助具１は、２つの長方形のシートのフック部１１と、２つのフック部１１を連結する長方形のシートの連結部１２からなっており、Ｈ字形である。
【００２５】
フック部１１の一方の面は面ファスナーのフック面Ｈになっている。フック面Ｈは雄面やＡ面とも呼ばれ、鍵状のフックが外糸の縫合により形成されている。フック部１１は、たとえばマジックテープ（登録商標）で知られているクラレファスニング株式会社のソフトタイプのＡ９２６３Ｙ．７１を使用する。なお、本実施形態では、フック部１１そのものを面ファスナーで構成しているが、面ファスナーとは異なる面材とこの面材に面ファスナーを貼り合わせたものをフック部１１として用いても構わない。
【００２６】
連結部１２は、弾性力があり伸縮可能なものである。連結部１２は、少なくとも一方の面が面ファスナーのループ面Ｌになっている。ループ面Ｌは雌面やＢ面とも呼ばれ、輪状のループが外糸の縫合により形成されている。連結部１２として、たとえばニッソー株式会社の伸びるＢ面ファスナーＭを使用する。
そして、補助具１は連結部１２の両端にフック面Ｈの背面とループ面Ｌの背面を合わせてステッチ３により縫合される。
【００２７】
補助具１は、このような構成により、２つフック面Ｈがオムツ２の表面２ａに係着して、連結部１２の弾性によりフック面Ｈが係着したオムツ２の２箇所を引っ張ることができる。また、補助具１は、ループ面Ｌがオムツ２の止着テープ２３のフック面Ｈに係着して、止着テープ２３による引っ張る位置を延長することができる。また、補助具１は、ループ面Ｌが他の補助具１のフック面Ｈに係着して補助具１どうしが連結することができる。
【００２８】
なお、実施形態１のＨ字形の補助具１は、フック部１１は連結部１２に対して直角方向に延在しているので、オムツ２の広範囲を引っ張ることができる。また、補助具１は、フック部１１と連結部１２が、それぞれ長方形となっているので、例えば円形や楕円形になっている場合比べ、それぞれの基材から効率よく材料取りを行うことができる。
【００２９】
図２（Ａ）、（Ｂ）を用いて第１実施形態のオムツ２の構成を説明する。このオムツ２は２段の止着テープ２３を有する大人用である。オムツ２は前見頃２１と後ろ見頃２２が股下部で連結したシート状になっている。オムツ２の表面（肌が触れない外側の面）２ａは面ファスナーのループが係着できる不織布のような処理がなされている。
【００３０】
オムツ２の裏面（肌が直接触れる内側の面）２ｂの中央には尿を吸収する吸収体２４が設けられ、吸収体２４の両側縁には尿が漏れるのを防止する立体ギャザー２５が配設されている。
【００３１】
後ろ見頃２２は左右、２段の合計４つの止着テープ２３を有しており、止着テープ２３の裏面２ｂ側にはフック面Ｋを有している。このフック面Ｈは、オムツ２の表面２ａや補助具１のループ面Ｌに係着することができる。また、オムツ２の胴開口部分には弾性力を有する胴伸縮部２６Ｗが、両方の脚開口部分には弾性力を有す脚伸縮部２６Ｆが、止着テープ２３が配設される両側縁部には止着テープ伸縮部２６Ｊが、それぞれ設けられている。
【００３２】
ここで、図３を用いて、基本的なオムツ２の着用方法を二つ説明する。図３（Ａ）はオムツ２の着用方法の一つであり、図３（Ｂ）はオムツ２の他の着用方法である。図３（Ａ）の着用方法は、まずオムツ２の前見頃２１をお腹側、後ろ見頃２２を背中側にしてＵ字形で身体に当てられる。そして、後ろ身頃２２を上方に寄せた状態で上下の止着テープ２３が平行になるように、フック面Ｈが前見頃２１の表面２ａに係着される。
【００３３】
この着用方法では、２段の止着テープ２３をきつく水平方向に引っ張ると、お腹部分が締めつけられるとベッドに寝ている着用者が起きにくくなるし、腰の下方が締めつけられると脚を広げにくくなる。また、通常の人体の下半身は骨盤の腸骨部を最大幅として下に細くなっているために、下段の止着テープ２３が骨盤の最大幅よりも下方になったときは、オムツ２が下方にずれて特に脚開口部から水様便や尿が漏れる恐れがある。
【００３４】
そこで、図３（Ｂ）のように、上段の２つの止着テープ２３を下方に、下段の２つの止着テープ２３を上方に向けて引っ張る。このように張力をクロスさせれば、直接お腹を張力で圧迫させないので、胴回り寸法が変化するベッドでの寝起きが楽になる。そして、股下部を上方へ引っ張る力が強くなって、オムツ２が下方にずれにくくなる。また、クロスの張力が骨盤の最大幅を挟めば、さらにオムツ２が下方にずれにくくなる。
次に図４〜図７を用いて、第１実施形態の補助具１の使用例を説明する。
【００３５】
［第１使用例］
図４（Ａ）は第１使用例を示す図である。第１使用例は止着テープ２３が１段しかないオムツ２に、補助具１が下段の止着テープ２３の代用として使用される例である。図４（Ａ）に示すように、既存の止着テープ２３が上段の止着テープ２３として下方に向けて引張られ、補助具１の２つのフック部１１を後ろ見頃２２の下方部から前見頃２１の上方に向けて引っ張るようにオムツ２に係着される。
【００３６】
２段の止着テープ２３を有するオムツ２は高額であり、子供用や赤ちゃん用のオムツ２は１段だけの止着テープ２である。また、大人用のオムツ２でも１段だけの止着テープ２３が多数ある。そこで、止着テープ２３が１段しかないオムツ２に補助具１を使用すれば、クロスの張力が可能になって、着用者が動きやすく、かつオムツ２がずれにくくなる。
【００３７】
［第２使用例］
図４（Ｂ）は第２使用例を示す図である。第２使用例は止着テープ２３のフック面Ｋの係着力がオムツ２の表面２ａに対して弱い場合の使用例である。図４（Ｂ）に示すように、前見頃２１に係着された下段の止着テープ２３と前見頃２１を、下段の止着テープ２３と同じ方向に補助具１で引っ張り上げる。そして、上段の止着テープ２３を引っ張って、そのフック面Ｋを補助具１のループ面Ｌに係着させる。このようにして、補助具１が下段の止着テープ２３の係着力を補助するとともに、上段の止着テープ２３の係着力を向上させることができる。
【００３８】
［第３、第４使用例］
図５（Ａ）、（Ｂ）は第３、第４使用例を示す図である。第３使用例は両方の脚開口部から汚物が漏れる場合に補助具１が２つ使用される例であり、第４使用例は片方の脚開口部から汚物が漏れる場合に補助具１が１つ使用される例である。何れも、オムツ２の脚開口部を締め付けるように補助具１を用いている。
【００３９】
２段の止着テープ２３でオムツ２の張力をクロスにしても、なんらかの理由により脚開口部から汚物が漏れることがある。たとえば、オムツ２のオーダーメイドは市販されていないために、極度に胴回り寸法が大きい着用者や太もも周りの寸法が極度に小さな着用者は、腰回りに合ったオムツ２を着用すると両方の脚開口部に大きな隙間が生じて汚物が漏れやすい。また、片方の足が障がいによって太もも周りの寸法が極度に小さな着用者は、片方の脚開口部に大きな隙間が生じて汚物が漏れやすい。このようなときに補助具１が脚開口部に使用されて、脚開口部からの汚物の漏れを低減することができる。
【００４０】
［第５、第６使用例］
図６（Ａ）、（Ｂ）は第５、第６使用例を示す図である。第５使用例は胴開口部の前見頃２１から汚物が漏れる場合に、胴開口部の前身頃２１側を締め付けるように補助具１を使用する例である。第６使用例は胴開口部の後ろ見頃２２から汚物が漏れる場合に、胴開口部の後ろ身頃２２側を締め付けるように補助具１を使用する例である。
【００４１】
２段の止着テープ２３でオムツ２の張力をクロスにしても、なんらかの理由により胴開口部から汚物が漏れることがある。たとえば、食事でお腹がふくれたときに止着テープ２３が係着されて、食物が消化された後や、胴周りの寸法が大きくなる座った状態で止着テープ２３が係着された後、ベッドに寝たときは胴周りの寸法が小さくなって胴開口部から汚物が漏れ易くなる。また、水様便のときは胴開口部の背中側から汚物が漏れ易くなる。このようなときに、補助具１が前見頃２１や後ろ見頃２２に使用されて、胴開口部からの汚物の漏れを低減することができる。また、本発明の補助具１をパンツ型オムツ２に適用する場合は胴開口部の側面である腰部に補助具１を使用することできる。
【００４２】
［第７使用例］
図７（Ａ）は第７使用例を示す図である。第７使用例は止着テープ２３で引っ張る位置を延長したい場合に補助具１が使用される例である。長い距離を引っ張りたいときや、止着テープ２３が短くてクロスの張力ができないことがある。このようなときに、図７（Ａ）に示すように、止着テープ２３のフック面Ｋを補助具１のループ面Ｌに係着させて繋ぎ、補助具１のフック面Ｈを止着テープ２３の延在方向に係着させる。このようにして、止着テープ２３が届かなかった位置を補助具１で引っ張ることができる。
【００４３】
［第８使用例］
図７（Ｂ）は第８使用例を示す図である。第８使用例は２つの止着テープ２３を連結させる例である。図７（Ｂ）に示すように、２つの止着テープ２３を補助具１のループ面Ｌに係着することで止着テープ２３を連結させることができる。このときは補助具１のフック面Ｈがオムツ２に係着するのでオムツ２が漏れにくくなる。また、補助具１の弾性による張力が増加する。
【００４４】
以上のように、本発明の補助具１はオムツ２とは別体であるので、オムツ２の任意の箇所を必要な数だけ引っ張ることができる。このために、種々の理由により汚物が漏れ易い箇所に張力を追加することができる。汚物が漏れ易い理由としては、たとえば、胴回りと脚周りの比率が標準と異なるので市販のＳサイズ〜ＬＬサイズが合わない、オムツ２の張力が弱い、着用者が障害により体型が左右対称ではない、在庫処分のために異なるサイズのオムツ２を使用する、汚物が水様便であり漏れ易い、寝返りをするなどがある。また、補助具１は使い捨てのオムツ２とは別体であるので、補助具１は使い捨てではなく、次に使用するオムツ２にも使用でき、汚れたときは洗濯することもできる。
【００４５】
なお、第１実施形態の補助具１は連結部１２そのものがループ面Ｌを備えるとともに、弾性を有し伸縮可能な面ファスナーであったが、連結部１２にループ面Ｌを備えていなくても、弾性力さえあれば、上述の第１、第３、第４、第５、第６、第７使用例を適用することができる。
【００４６】
また、第１実施形態の補助具１は連結部１２の片面の全面にループ面Ｌが形成されていたが、連結部１２が、弾性が無いループ部と弾性が有る弾性体（例えばゴムシート）で構成されていても、第２、第８使用例を適用することができる。
【００４７】
また、第１実施形態の補助具１はＨ字形であったが、本発明は、この形状に限定するものではなく、例えば、Ｔ字形、Ｌ字形、Ｉ字形でもよい。また、フック部１１の形状は材料取りを良くするために長方形であったが、本発明は、これに限定するものではなく、円形などでもよい。
なお、本発明の使用例は上述の例に限定するものではなく、オムツ２と別体である特徴から種々の作用効果がある使用方法が可能である。
【００４８】
［第２実施形態］
次に、図８〜図１０を用いて、第２実施形態の補助具１Ａを説明する。第２実施形態の補助具１Ａにおいては、第１実施形態の補助具１と構成が同一の部分については同一の参照符号を付与してその詳細な説明は省略し、構成が異なる同一名の部分については参照符号に添え字「Ａ」を付す。第２実施形態の補助具１Ａと第１実施形態の補助具１の相違点は、フック部１１と連結部１２の結合方法のみである。
【００４９】
図８（Ａ）、図８（Ｂ）に示すように、第２実施形態の補助具１Ａの２つフック部１１は連結部１２に継手４によって回動自在に軸支されている。継手４は、たとえばオスとメスからなるカシメのように、回転軸がフック部１１と連結部１２から抜けないような構造になっている。フック部１１が連結部１２に対して回転自在であるので、フック部１１が連結部１２に対して約４５度の傾斜（図９参照）や、平行（図１０参照）など任意の角度にすることができる。これにより、一方のフック部１１をオムツ２に係着させて、他方のフック部１１を係着しようとするときに、他方のフック部１１をオムツ２がよじれることなく、一方のフック部１１を中心に回転させることができる。
【００５０】
また、両方のフック部１１を連結部１２に対して平行に回転させてＩ字形状にすれば、オムツ２の胴開口部近傍や脚開口部近傍部などの側縁部を引っ張るときにフック部１１Ｂがオムツ２からはみ出ることがない。
【００５１】
なお、図１０に示す補助具１Ａの形状はＴ字形となっているが、このようなＴ字形の形状において、平行となっているフック部１１側は継手１１ではなく、第１実施形態のようにステッチ３により縫合して固着してもよい。このような補助具は、一方のフック部１１側だけで回転自在となる。
【００５２】
［第３実施形態］
次に、図１１〜図１４を用いて、第３実施形態の補助具１Ｂを説明する。第３実施形態の補助具１Ｂにおいては、第１実施形態の補助具１と構成が同一の部分については同一の参照符号を付与してその詳細な説明は省略し、構成が異なる同一名の部分については参照符号に添え字「Ｂ」を付す。第３実施形態の補助具１Ｂと第１実施形態の補助具１の主な相違点は、第１実施形態のフック部１１が２つ共ステッチ３で連結されているのに対して、第３実施形態の第２フック部１１は面ファスナーによって着脱可能に連結されている点である。
【００５３】
図１１（Ａ）、（Ｂ）に示すように、第３実施形態の補助具１Ｂの第１フック部１１は第１実施形態と同様に連結部１２とステッチ３により連結されて、片方連結体１３Ｂとなっている。第３実施形態の補助具１Ｂの第２フック部１１Ｂは、第１実施形態のフック部１１のフック面Ｈにループ面Ｌが背中合わせで設けられている。そして、第２フック部１１Ｂのフック面Ｈと片方連結体１３Ｂの連結部１２のループ面Ｌがファスナー係合することにより、第２フック部１１Ｂが片方連結体１３Ｂと連結されて使用時の補助具１Ｂを形成する。
【００５４】
このように、第３実施形態の補助具１Ｂは第２フック部１１Ｂが着脱可能であるので、使用者が第２フック部１１Ｂを片方連結体１３Ｂに任意の位置で連結することができる。図１２（Ａ）は補助具１Ｂの長さが短くなるように連結された例を示す図であり、図１２（Ｂ）は補助具１Ｂの長さが長くなるように連結された例を示す図である。また、第２フック部１１Ｂが着脱可能であるので、連結部１２を非常に長くして販売し、使用者が連結部１２を好みの長さに切断して第２フック部１１Ｂを連結させることも可能である。このようにして、使用者が補助具１Ｂの長さを変更できるので、Ｓサイズ〜ＬＬサイズ、大人用、子供用など種々のオムツ２、そして腰開口部、脚開口部などオムツ２の各場所に適用することができる。
【００５５】
また、第２フック部１１Ｂが着脱可能であるので、第２フック部１１Ｂを片方連結体１３Ｂに任意の角度で連結することができる。図１３（Ａ）、（Ｂ）はＴ字形に連結された例を示す図であり、図１４（Ａ）、（Ｂ）はＬ字形に連結された例を示す図である。第２実施形態の補助具１Ａもフック部１１を継手４によって回転させることができるが、オムツ２の使用者によっては継手４の凸部が気になってしまうことがある。第３実施形態の補助具１Ｂは継手４を備えていないので、継手４の凸部がなく、オムツ２の履き心地がよい。
【００５６】
また、第２フック部１１Ｂは面ファスナー連結であるので、非常に大きな張力で剥がれることから、補助具１Ｂの引っ張り過ぎを防止することができる。この点について詳しく説明する。第２フック部１１Ｂのように連結部１２からフック部１１が着脱できない第１実施形態の補助具１の場合、補助具１の使用に慣れていない補助具１の使用者は、弾性による伸縮の限界近くまで伸ばした状態で補助具１を引っ張って使ってしまうおそれが考えられる。
【００５７】
これは、本発明品とは異なるものではあるが、介護等の現場において伸縮性のある何かしらの道具を使用してもらう場合に、現実的な問題として伸縮の限界近くまで伸ばして使用する傾向が非常に見受けられる。上記の懸念はこのことから推測されたものである。そして、補助具１を限界近くまで伸ばして使うと、オムツ２の使用者の体の動きに追従できなくなってしまうことから、オムツ２の使用者に苦痛を与えてしまうおそれがある。そこで、本実施形態のように、第２フック部１１Ｂが連結部１２から面ファスナー連結により着脱できる構造としておくことで、使用時に引っ張り過ぎて限界近くまで伸ばしているような場合に、第２フック部１１Ｂが剥がれてしまうため、補助具１Ｂの使用者による引っ張り過ぎの状態での使用を防ぐことができる。
【００５８】
また、第２フック部１１Ｂは背中合わせでループ面Ｌも備えているので、補助具１Ｂがオムツ２のフック面Ｋと係合したり、他の補助具１Ｂのフック面Ｈと係合したりするときに、係合できる面積が広くなる。なお、第２フック部１１Ｂのループ面Ｌは弾性を有する必要がないので、材料の選択範囲が広がる。たとえば、ループ形状にこだわらず、Ｂ面ファスナーナッピングタイプ（起毛）にすれば、より強い係合力となる。
【００５９】
また、第２フック部１１Ｂを連結していない片方連結体１３Ｂはオムツ２の止着テープ２３の延長や他の第２フック部１１Ｂの延長とし使用することもできる。なお、補助具１Ｂは、第１フック部１１についても着脱可能な連結とすることもできる。
【００６０】
［第４実施形態］
次に、図１５（Ａ）、（Ｂ）を用いて、第４実施形態の補助具１Ｃを説明する。第４実施形態の補助具１Ｃにおいては、第１実施形態の補助具１と構成が同一の部分については同一の参照符号を付与してその詳細な説明は省略し、構成が異なる同一名の部分については参照符号に添え字「Ｃ」を付す。第４実施形態の補助具１Ｃと第１実施形態の補助具１の主な相違点は、フック部１１、１１Ｃの数とフック部１１、１１Ｃの結合位置である。
【００６１】
図１５（Ａ）、（Ｂ）に示すように、第４実施形態の補助具１Ｃは５つのフック部１１Ｂと１つの連結部１２Ｃからなる。フック部１１Ｃはフック面Ｈを備え、連結部１２Ｃはループ面Ｌを備えている。５つのフック部１１Ｃの端部が連結部１２Ｃに整列して結合されている。結合方法は固着でもよく、軸支でもよい。このように、フック部１１Ｃが多数あるので、多数の箇所を引っ張ることができる。また、フック部１１Ｃが１方向にしか延在していないので、オムツ２の側縁部を引っ張るときにフック部１１Ｃがオムツ２からはみ出ることがない。たとえば、第４実施形態の補助具１Ｂは胴開口部近傍や脚開口部近傍部を引っ張るのに適している。
【００６２】
［第５実施形態］
次に、図１５（Ｃ）を用いて、第５実施形態の補助具１Ｄを説明する。第４実施形態の補助具１Ｄにおいては、第１実施形態の補助具１と構成が同一の部分については同一の参照符号を付与してその詳細な説明は省略し、構成が異なる同一名の部分については参照符号に添え字「Ｄ」を付す。第５実施形態の補助具１Ｄと第１実施形態の補助具１の主な相違点は、フック部１１、１１Ｄの数と連結部１２、１２Ｄの数である。
【００６３】
図１５（Ｃ）に示すように、第５実施形態の補助具１Ｄは７つのフック部１１Ｄと６つの連結部１２Ｄを備えている。１つのフック部１１Ｄを中心にして６つのフック部１１Ｄが６０度の等角度で放射状に配設されている。そして、６つのフック部１１Ｄが中心のフック部１１Ｄにそれぞれ連結部１２Ｄによって連結されている。このように連結部１２Ｄは複数あってもよい。これにより、第５実施形態の補助具１Ｄはオムツ２の複数の箇所を一箇所に向かって引っ張ることができる。たとえば、オムツ２の在庫処分のために、２つの補助具１Ｄを使用して、だぶだぶのオムツ２の前見頃２１と後ろ見頃２２を各中央に引き締めることができる。
【００６４】
上述の実施形態のオムツ２は人体用のテープ型オムツであったが、本発明の補助具はテープ型オムツに限定するものではない。パンツ型オムツでも胴開口部や脚開口部において漏れが生じることから、本発明の補助具はこれらのオムツにも適用することができる。また、本発明の補助具はオムツ用のパッドが入れられたオムツにも適用することができる。
【００６５】
さらに、本発明の補助具はペット用オムツにも適用することができる。図１６に示すように、犬用のオムツ２Ｅには尻尾が貫通する開口部２７Ｅを有している。この開口部２７Ｅから汚物が漏れ、犬が汚物を踏んだ脚で部屋を気兼ねなく歩き回ることがある。たとえば図１７に示すように、本発明の補助具１Ａで開口部２７Ｅの余分な孔を塞いだり、縮めたりすることで汚物の漏れを低減することができる。
【符号の説明】
【００６６】
１、１Ａ、１Ｂ、１Ｃ、１Ｄ・・・・・補助具
１１・・・・フック部
１１Ｂ・・・第２フック部
１２・・・・連結部
１３Ｂ・・・片方連結体
２・・・・・オムツ
２ａ・・・・表面
２ｂ・・・・裏面
２１・・・・前見頃
２２・・・・後ろ見頃
２３・・・・止着テープ
２４・・・・吸収体
２５・・・・立体ギャザー
２６Ｗ・・・腰伸縮部
２６Ｆ・・・脚伸縮部
２６Ｊ・・・止着テープ伸縮部
２７Ｅ・・・開口部
３・・・・・ステッチ
４・・・・・継手
Ｈ、Ｋ・・・・・フック面
Ｌ・・・・・ループ面
【図１】
2018110814.tif 000003
【図２】
2018110814.tif 000004
【図３】
2018110814.tif 000005
【図４】
2018110814.tif 000006
【図５】
2018110814.tif 000007
【図６】
2018110814.tif 000008
【図７】
2018110814.tif 000009
【図８】
2018110814.tif 000010
【図９】
2018110814.tif 000011
【図１０】
2018110814.tif 000012
【図１１】
2018110814.tif 000013
【図１２】
2018110814.tif 000014
【図１３】
2018110814.tif 000015
【図１４】
2018110814.tif 000016
【図１５】
2018110814.tif 000017
【図１６】
2018110814.tif 000018
【図１７】
2018110814.tif 000019